(57)【特許請求の範囲】
【請求項１】
ストレッチ機能を有する脚部マッサージ器であって、
ハウジングおよび脚底マッサージ機構を含む本体と、
前記ハウジング内に設けられた脚部を載置するためのマッサージチャンバと、
を有し、
前記脚底マッサージ機構は、前記マッサージチャンバの下部に設置され、
前記本体の下方には、当該本体を支持するスタンドが接続され、
前記マッサージチャンバの上部に、脚部を押圧して固定するマッサージエアバッグが設置され、
前記本体において足元に対応する後部は、転換ピン機構を介して前記スタンドに接続され、
前記本体において足先に対応する前部は、揺動駆動機構を介して前記スタンドに接続され、
前記マッサージエアバッグは、膨張することによって足の甲を押圧して前記脚部を固定し、
前記揺動駆動機構は、転換ピンを支点として前記本体と共に上下に揺動し、前記脚部をストレッチしてマッサージする脚部マッサージ器。
【請求項２】
前記揺動駆動機構は、回転材および揺動棒を含み、
前記本体には、所定軸線で回転する回転軸が設置され、
前記回転材は、前記回転軸に接続されて前記回転軸により回転され、
前記揺動棒の一端は、前記回転材において前記回転軸の軸線からずれた位置にヒンジ接続される一方、前記揺動棒の他端は、前記スタンドにヒンジ接続される、
請求項１に記載の脚部マッサージ器。
【請求項３】
前記回転軸は、前記ハウジングから延出する外端部を有し、
前記回転材は、前記外端部に固定して接続される、
請求項２に記載の脚部マッサージ器。
【請求項４】
前記脚底マッサージ機構は、モータ、伝動装置、前記回転軸およびマッサージ装置を含み、
前記モータは、前記伝動装置および前記回転軸を介して前記マッサージ装置を駆動してマッサージ運動を発生させ、
前記マッサージ装置は、前記回転軸に取り付けられるローラを含む、
請求項３に記載の脚部マッサージ器。
【請求項５】
前記伝動装置は、歯車回転機構であり、
前記マッサージ装置は、キャリッジをさらに含み、
前記キャリッジの頂部には、マッサージ用の突起が設置され、
前記キャリッジは、連接棒および偏心ギヤ構造を介して前記ローラに接続され、当該ローラにより駆動されて前後に移動する、
請求項４に記載の脚部マッサージ器。
【請求項６】
前記揺動駆動機構は、伸縮プッシュロッドであり、
前記伸縮プッシュロッドの可動プッシュロッドは、前記本体にヒンジ接続され、
前記伸縮プッシュロッドの基体は、前記スタンドに接続される、
請求項１に記載の脚部マッサージ器。
【請求項７】
前記スタンドは、ヒンジ接続座、転換ピン座および底板を含み、
前記ヒンジ接続座および前記転換ピン座は、前記底板に固定して取り付けられ、
前記揺動棒は、前記ヒンジ接続座にヒンジ接続され、
前記転換ピンは、前記転換ピン座に連結される、
請求項２に記載の脚部マッサージ器。
【請求項８】
前記底板には、補強板およびダンパー支脚が設置される、
請求項７に記載の脚部マッサージ器。
【請求項９】
前記ハウジングは、貫通穴を有し、
前記転換ピンの一端は、前記ハウジングの内部に固定して取り付けられ、
前記転換ピン座は、ピン受けを係止し、
前記転換ピンの他端は、前記貫通穴を貫通して前記ピン受けの内孔に伸びる、
請求項７に記載の脚部マッサージ器。
【発明の詳細な説明】
【技術分野】
【０００１】
本発明は、マッサージ器械に関し、具体的には、ストレッチ機能を有する脚部マッサージ器に関する。
【背景技術】
【０００２】
現在、様々な脚部マッサージ器が市販されている。脚部マッサージ器は、人の脚部に対するマッサージしかできない。例えば、特許番号ＺＬ２０１２２０４１７３０３．Ｘ、特許の名称が「足部マッサージ器」の中国特許には、人の脚部に対してマッサージする脚部マッサージ器が開示される。しかし、脚部マッサージ器は、人の脚部に対してマッサージできるのみで、ハウジングと、駆動機構と、移動可能にハウジングに取り付けられて駆動機構に伝動接続される足先マッサージ機構と、ハウジングに移動可能に取り付けられて足先マッサージ機構に伝動接続される足の裏マッサージ機構と、ハウジングに移動可能に取り付けられて足の裏マッサージ機構に伝動接続される足元マッサージ機構とを有する。
【０００３】
この脚部マッサージ器は、それぞれ足先マッサージ機構、足の裏マッサージ機構および足元マッサージ機構により脚部の３つの箇所をマッサージし、良好なマッサージ効果を有する。しかし、この脚部マッサージ器は、足底に対して押圧式マッサージしかできず、マッサージが単調で、人を満足させることができない。
【発明の概要】
【発明が解決しようとする課題】
【０００４】
本発明が解決しようとする技術問題は、上述した従来の技術に存在する不足を克服するストレッチマッサージ機能を有する脚部マッサージ器及びストレッチマッサージ方法を提供し、マッサージ方式を拡張することにある。
【課題を解決するための手段】
【０００５】
上述した技術問題を解決するために、本発明は、以下の技術的案を用いる。
【０００６】
ストレッチ機能を有する脚部マッサージ器であって、ハウジングおよび脚底マッサージ機構を含む本体と、ハウジング内に設けられた脚部を載置するためのマッサージチャンバとを有し、脚底マッサージ機構は、マッサージチャンバの下部に設置され、本体の下方には、当該本体を支持するスタンドが接続され、マッサージチャンバの上部に、脚部を押圧して固定するマッサージエアバッグが設置され、本体において足元に対応する後部は、転換ピン機構を介してスタンドに接続され、本体において足先に対応する前部は、揺動駆動機構を介してスタンドに接続され、マッサージエアバッグは、膨張することによって足の甲を押圧して脚部を固定し、揺動駆動機構は、転換ピンを支点として本体と共に上下に揺動し、脚部をストレッチしてマッサージする。
【０００７】
上述した技術案は、以下の技術的措置によりさらに最適化してもよい。
【０００８】
揺動駆動機構は、回転材および揺動棒を含み、本体には、所定軸線で回転する回転軸が設置され、回転材は、回転軸に接続されて回転軸により回転され、揺動棒の一端は、回転材において回転軸の軸線からずれた位置にヒンジ接続される一方、揺動棒の他端は、スタンドにヒンジ接続される。
【０００９】
回転軸は、ハウジングから延出する外端部を有し、回転材は、外端部に固定して接続される。
【００１０】
脚底マッサージ機構は、モータ、伝動装置、回転軸およびマッサージ装置を含み、モータは、伝動装置および回転軸を介してマッサージ装置を駆動してマッサージ運動を発生させ、マッサージ装置は、回転軸に取り付けられるローラを含む。
【００１１】
伝動装置は、歯車回転機構であり、マッサージ装置は、キャリッジをさらに含み、キャリッジの頂部には、マッサージ用の突起が設置され、キャリッジは、連接棒および偏心ギヤ構造を介してローラに接続され、当該ローラにより駆動されて前後に移動する。
【００１２】
スタンドは、ヒンジ接続座、転換ピン座および底板を含み、ヒンジ接続座および転換ピン座は底板に固定して取り付けられ、揺動棒はヒンジ接続座に可動にヒンジ接続され、転換ピンは転換ピン座に軸支接続される。
【００１３】
底板には、補強板およびダンパー支脚が設置される。
【００１４】
ハウジングは貫通穴を有し、転換ピンの一端は、ハウジングの内部に固定して取り付けられ、転換ピン座はピン受けを係止し、転換ピンの他端は、貫通穴を貫通してピン受けの内孔に伸びる。
【００１５】
揺動駆動機構は、伸縮プッシュロッドであってもよく、伸縮プッシュロッドの可動プッシュロッドは、本体にヒンジ接続され、伸縮プッシュロッドの基体は、スタンドに接続される。
【００１６】
本発明の脚部マッサージ器のストレッチマッサージ方法は、マッサージエアバッグに対して空気を充填して膨張させ、脚部をマッサージチャンバ内に固定させるステップ１と、脚底マッサージ機構が脚部をマッサージすると同時に、足首を支点として本体が脚部と共に揺動するように揺動駆動機構を動作させてストレッチマッサージを行い、本体の揺動角度は、自由状態における脚部の揺動角度より大きいステップ２と、を含む。
【発明の効果】
【００１７】
以上の技術案を用いているため、本発明は以下のメリットを有する。
【００１８】
本発明は、足先部に対応する前部に揺動駆動機構を設置し、足元部に対応する後部に転換ピン機構を設置し、揺動駆動機構は、転換ピンを支点として本体と共に上下に揺動し、マッサージチャンバの上部に位置するマッサージエアバッグは脚部を固定する時、本体は揺動して脚部を伴って足首部の周りに揺動し、脚部を伸ばしてストレッチマッサージを行う。ユーザの脚底を押圧してマッサージするとともに脚部をストレッチマッサージしてマッサージ機能を拡張している。
【００１９】
本発明は、回転材および揺動棒を含む揺動駆動機構を用いて本体を伴って揺動するため、構成が簡単で、コンパクトであり、コストが低いというメリットを有する。
【００２０】
また、本発明は、底板にダンパー支脚および補強板を設置するため、ノイズが低く、構造強度が高いというメリットを有する。
【図面の簡単な説明】
【００２１】
【図１】本発明にかかる脚部マッサージ器の実施例１の全体構成を示す図である。
【図２】図１における脚部マッサージ器の底面を示す図である。
【図３】図１における脚部マッサージ器の内部構成を示す図である。
【図４】図３における構成Ａの拡大図である。
【図５】図３における構成Ｂの拡大図である。
【図６】図３における脚部マッサージ器の台座を除去した構成を示す図である。
【図７】図６における構成Ｃの拡大図である。
【図８】転換ピン機構の分解図である。
【発明を実施するための形態】
【００２２】
以下、図面を参照しながら本発明をより詳細に説明する。
【００２３】
図１、図２、図３に示すように、本発明のストレッチ機能を有する脚部マッサージ器は、ハウジングおよび脚底マッサージ機構を含む本体１と、ハウジング内に設けられた脚部を載置するためのマッサージチャンバとを有する。マッサージチャンバ内には、脚部を覆うライニングが設置されている。ハウジングは、上蓋、中蓋および底蓋を含む。上蓋および中蓋は、いずれも台座に固定して取り付けられる。上蓋は、脚部が入るための２つの脚孔を有する。マッサージチャンバは、上蓋と下蓋との間に位置する。マッサージチャンバにおいて、脚底マッサージ機構は、マッサージチャンバの下部に設置されて脚底マッサージに用いられる。脚底マッサージ機構は、足元マッサージ装置、足の裏マッサージ装置および足先マッサージ装置を含む。脚底マッサージ機構の具体的な構成は、出願者の別の中国特許ＣＮ２０１２２０４１７３０３．Ｘを参照し、本実施例に用いる構成はそれと同じである。マッサージチャンバの上部には、脚部を押圧して固定するマッサージエアバッグが設置される。マッサージエアバッグは、本体１内に固定して取り付けられるエアポンプと連通する。エアポンプは、マッサージエアバッグに空気を充填してマッサージエアバッグを膨張させることによって、上方から脚部を押圧してマッサージする。本体１の下方には、本体１を支持するスタンド２が接続される。本体１において足元に対応する後部は、転換ピン機構を介してスタンド２に接続される。本体１において足先に対応する前部は、揺動駆動機構を介してスタンド２に接続される。ここでいう「足元に対応する後部」とは、足元を後部方向の目安としているのであって、足元位置だけを示しているのではない。同様に、「足先部に対応する前部」もまた、足先位置だけを示しているのではなく、足先を前部方向の目安としている。マッサージエアバッグに対して空気が充填され、当該マッサージエアバッグが設定した圧力までに膨張して圧力保持状態にある時、マッサージエアバッグが足の甲を押圧して脚部を固定する。その結果、脚部は、マッサージチャンバ内で動くことができなくなる、または、動きにくくなる。この時、揺動駆動機構は、転換ピン３を支点とし、本体１と連動して上下に揺動し、脚部に対してストレッチマッサージを行う。すなわち、本体１の前部は、後部を回転支点として上下に揺動する。脚底マッサージ機構は、モータ、伝動装置、回転軸４およびマッサージ装置を含む。回転軸４は、本体１において所定軸線で回転する。モータは、伝動装置、回転軸４を介してマッサージ装置を駆動してマッサージ運動を発生させる。マッサージ装置は、回転軸４に取り付けられるローラを含む。伝動装置は、歯車回転機構である。伝動装置の詳細な構成は、中国特許ＣＮ２０１２２０４１７３０３．Ｘに開示されている。マッサージ装置は、キャリッジをさらに含む。キャリッジの頂部には、マッサージ用の突起が設置される。キャリッジは、連接棒および偏心ギヤ構造を介してローラに接続され、当該ローラに駆動されて前後に移動する。
【００２４】
図４、図６および図７に示すように、回転軸４は、ハウジングから延出する外端部を有する。揺動駆動機構は、回転材５および揺動棒６を含む。回転材５は、回転軸４の外端部に固定され、回転軸４により駆動されて回転する。揺動棒６の一端は、回転材５において回転軸４の軸線からずれた位置にヒンジ接続される。揺動棒６の他端は、スタンド２にヒンジ接続される。ここでいう「ヒンジ接続」とは、２つの部材が相対的に回転できるように、２つの部材の間が枢軸により接続されることである。枢軸の軸線は、すなわち、２つの部材の回転軸線である。揺動棒６は回転材５の偏心位置にヒンジ接続されるため、回転材５が回転すると、揺動棒６は、偏心設置により揺動する。スタンド２全体は、溝形状の構造を有する。スタンド２の前部には、溝底の位置にヒンジ接続座７が固定されて取り付けられる。ヒンジ接続座７は、上方向に延伸し、貫通穴が設置された接続耳を有する。揺動棒６の下部にも貫通穴が存在する。貫通穴を介して枢軸が接続耳および揺動棒６に通されることによって、揺動棒６は、ヒンジ接続座７にヒンジ接続される。回転材５において、回転軸４の軸線からずれた位置にピン連結軸が固定されている。回転軸４の軸線の位置にピン連結軸が近いほど、揺動棒６の揺動幅は小さい。揺動棒６の上端には貫通穴が存在し、ピン連結軸が当該貫通穴を貫通することによって、揺動棒６と回転材５とはヒンジ接続される。本発明においては、揺動棒６が偏心揺動する過程で異物の進入によるスタックが発生しないように、揺動駆動機構の外側に保護カバーが設置される。保護カバーは、スタンド２の側部に固定して接続される。スタンド２の底部の外側には、金属補強板２０およびダンパー支脚２１が設置される。金属補強板２０は、スタンド２の底部の下表面に固定される鉄板である。ダンパー支脚２１は、底板に固定されて下方へ延出するゴム材であり、動作面に接触して本発明の使用時に発生するノイズおよび機械振動を低減させる。
【００２５】
図５、図８に示すように、転換ピン機構は、転換ピン３およびピン受け８を含む。ハウジングは貫通穴を有し、転換ピン３の一端は、ハウジング内部に固定して取り付けられる。スタンド２の両側のそれぞれには、転換ピン３座が設けられる。転換ピン３座内にピン受け８が係止し、転換ピン３の他端が貫通穴を貫通してピン受け８の内孔に延出する。転換ピン３座には、ピン受け８を取り付けるための貫通穴が形成される。その貫通穴内には、当該貫通穴の軸方向に沿って延伸する２つの取り付け溝が形成されている。ピン受け８の外側には、２つの取り付け溝に適合する２つのリブが形成されている。２つのリブは、２つの取り付け溝と互いに嵌合する。転換ピン３の尾部は、ネジによりハウジングに締結されるピンボスを有する。転換ピン機構が運動する時に塵や異物の進入によるスタックが発生しないように、転換ピン機構の外側には、保護カバーが設置されている。
【００２６】
本実施例における脚部マッサージ器のストレッチマッサージ方法は、マッサージエアバッグに対して空気を充填して膨張させ、脚部をマッサージチャンバ内に固定させ、マッサージエアバッグが上部から脚部を押圧して固定するステップ１と、脚底マッサージ機構が脚部に対してマッサージすると同時に、足首を支点として本体１が脚部を伴って揺動するように、揺動駆動機構を動作させて本体１を揺動させてストレッチマッサージを行い、本体１の揺動角度は、自由状態における脚部の揺動角度より大きいステップ２と、を含む。
【００２７】
本実施例が使用される時、ユーザは、脚部を脚孔に通してマッサージチャンバ内に伸ばし、キーを操作して脚部マッサージ器を起動する。ユーザがストレッチマッサージ機能を選択した後、制御器は、エアポンプを動作させてマッサージエアバッグに空気を充填させる。マッサージエアバッグが膨張した後、脚部を中蓋に固定させる。空気の充填が終了した後、制御器は、モータを動作させ、伝動装置を介してマッサージ部材をマッサージ動作させる。それと同時に、回転軸４は、回転材５を回転させることによって、揺動棒６を偏心揺動運動させて、転換ピン３を支点として本体１を上下に揺動させる。固定された脚部も、本体１の揺動に従って引き伸ばされ、または、押し縮められる。脚部が引き伸ばされる時、脚の筋に対してストレッチ作用が働き、脚部の疲労感を低減させる。
【００２８】
上記実施形態は、本発明の好ましい実施案にすぎず、実際には、当業者は簡単な変形により本発明の目的を達成できる。例えば、揺動駆動機構は、プッシュロッド装置であってもよい。プッシュロッド装置の一端は、本体１にヒンジ接続され、プッシュロッド装置の他端は、スタンド２にヒンジ接続され、転換ピン３を支点として本体１が揺動する技術的効果を実現できる。このような簡単に変形した技術案も本発明の保護範囲に含まれることは明らかである。
【符号の説明】
【００２９】
１  本体
２  スタンド
３  転換ピン
４  回転軸
５  回転材
６  揺動棒
７  ヒンジ接続座
８  ピン受け
２０  補強板
２１  ダンパー支脚
【図１】
0006359781.tif 000002
【図２】
0006359781.tif 000003
【図３】
0006359781.tif 000004
【図４】
0006359781.tif 000005
【図５】
0006359781.tif 000006
【図６】
0006359781.tif 000007
【図７】
0006359781.tif 000008
【図８】
0006359781.tif 000009